(57)【要約】【課題】ギターを弾くことができない人であってもギター演奏を楽しむことができるとともに、自動モードで演奏するか、手動モードで演奏ができるかを選択することができるギター玩具を提供する。【解決手段】ギターを模して形成された玩具本体１のネック部２にはギターコードを表示したフレット板４を配置するとともに、該フレット板４の押下を検出するコードスイッチ１２を配置し、胴部３には演奏キー１５と、モード選択キー１７と、リズムパターンの選択を指示する指示キー１９とが設けられ、上記指示キー１９が押されたときは上記コードスイッチ１２でリズムパターンが選択でき、自動モードでは上記フレット板４を押下すと選択したリズムパターンでコード音が出力され、手動モードでは演奏キー１５の弾き操作に同期してコードスイッチ１２で指定されたギターコードがコード音として出力されるようにした。【選択図】図１
2005078046.tif 000002
【特許請求の範囲】
【請求項１】
以下の要件を備えることを特徴とするギター玩具。
（イ）玩具本体はギターを模して形成され、ネック部にはギターコードを表示したフレット板を押下可能に配置するとともに、該フレット板の下方には押下を検出するコードスイッチを配置し、胴部には演奏キーと、自動モード・手動モードを選択するモード選択キーと、出力するギターコードのリズムパターンの選択を指示する指示キーとが設けられていること
（ロ）上記指示キーが押されたときは上記コードキーでリズムパターンが選択できること
（ハ）上記モード選択キーを自動モードに設定したときには上記フレット板を押下すと選択されたリズムパターンでコード音が出力され、上記モード選択キーを手動モードに設定したときには演奏キーの操作に同期してコードスイッチで指定されたギターコードがコード音として出力されること
（ニ）上記コード音は上記玩具本体に内装されたスピーカから出力されること
【請求項２】
前記玩具本体に音量、キー、テンポ等の演奏条件を設定できる条件設定手段を設けた、請求項1記載のギター玩具。
【請求項３】
前記演奏キーは、ダウンストロークとアップストロークとを検出することができる、請求項1又は２記載のギター玩具。
【請求項４】
前記ネック部を前記胴部に折畳み可能に設けた、請求項1、２又は３記載のギター玩具。
【発明の詳細な説明】
【技術分野】
【０００１】
本発明は、ギター玩具、詳しくは実際のギターが弾けない人でもギターの演奏ができるギター玩具に関するものである。
【背景技術】
【０００２】
従来、電子ギターはボディ部とネック部との間に弦が張られ、演奏時にはネック部のフレットに弦を押さえつけながらボディ部で弦を弾くと、弦の振動がマイクで検出され、その検出信号が増幅されてスピーカから出力されるようになっていたが、この電子ギターは通常のギターと同じように弦を取り替えたり、演奏の前には調律を行なったりしなければならなかったが、近年になり弦を張らずに演奏ができる電子ギターが提案されている（例えば、特許文献１参照）。この電子ギターは、弦に代えてネック部に線状部材を配置し、この線状部材を押下するとその下にあるコードスイッチがＯＮするようになっているもので、弦の交換や調律を必要とせずギターの演奏ができるようになっているものである。
【特許文献１】特開平１１−４５０９０号公報
【発明の開示】
【発明が解決しようとする課題】
【０００３】
しかしながら、弦に代えて線状部材をネック部に配置し、その線状部材が押されたか否かをコードスイッチで検出し、その検出信号をギター音として出力できるようにし、弦の交換や調律を行うことなくギター演奏ができるようにしたが、普通のギターと同じようにネック部を握った手の指でコードを構成する線状部材（コードスイッチ）を押さなければならず、コードの押え方の判らない人には馴染めないものであり、玩具に適用することには問題があった。
【０００４】
本発明は上記問題点を解決し、普通のギターを弾くことができない人であってもギター演奏を楽しむことができるとともに、自動モードで演奏するか、ユーザーの好みを反映させる手動モード演奏ができるかを選択することができるギター玩具を提供することをその課題とする。
【課題を解決するための手段】
【０００５】
本発明によるギター玩具は、以下の要件を備えることを特徴とする。
（イ）玩具本体はギターを模して形成され、ネック部にはギターコードを表示したフレット板を押下可能に配置するとともに、該フレット板の下方には押下を検出するコードスイッチを配置し、胴部には演奏キーと、自動モード・手動モードを選択するモード選択キーと、出力するギターコードのリズムパターンの選択を指示する指示キーとが設けられていること
（ロ）上記指示キーが押されたときは上記コードキーでリズムパターンが選択できること
（ハ）上記モード選択キーを自動モードに設定したときには上記フレット板を押下すと選択されたリズムパターンでコード音が出力され、上記モード選択キーを手動モードに設定したときには演奏キーの操作に同期してコードスイッチで指定されたギターコードがコード音として出力されること
（ニ）上記コード音は上記玩具本体に内装されたスピーカから出力されること
【０００６】
なお、前記玩具本体に音量、キー、テンポ等の演奏条件を設定できる条件設定手段を設け、ユーザーの好みや他の楽器との合奏に対応できるようにすることが好ましい。
【０００７】
また、前記演奏キーは、ダウンストロークとアップストロークとを検出することができ、アップコードとダウンコードとを出力することができるようにしてもよい。
【０００８】
さらに、前記ネック部を前記胴部に折畳み可能に設け、持ち運ぶ際には折畳んでコンパクトにできるようにすることが好ましい。
【発明の効果】
【０００９】
請求項１の発明によれば、モード選択キーを自動モードに設定したときにはフレット板を押下してコードスイッチをＯＮさせると選択したリズムパターンでコード音が出力され、モード選択キーを手動モードに設定したときにはコードスイッチで指定されたコードが演奏キーの操作に同期してコード音として出力されるので、ユーザーの希望に合わせて演奏方法を選択でき、ギターを弾けないユーザーであってもギターの演奏を楽しむことができる。
【００１０】
請求項２の発明によれば、条件設定手段で各種条件を設定することにより、ユーザーの好みや他の楽器との合奏を行なうことができ、ギター演奏をより楽しむことができる。
【００１１】
請求項３の発明によれば、アップコード音とダウンコード音とを出力させることができるので、ユーザーのオリジナリティを発揮させることができる。
【００１２】
請求項４の発明によれば、ネック部を折畳むことができるので、不使用時には玩具本体の形状をコンパクトにすることができ、持ち運びやすいギター玩具を実現することができる。
【発明を実施するための最良の形態】
【００１３】
本発明によるギター玩具は、玩具本体をギターを模して形成されるとともに、ネック部にはギターコードを選択するコードスイッチを、胴部には演奏キーと自動モード・手動モードを設定するモード選択キーと出力するギターコードのリズムパターンの選択を指示する指示キーとを設け、上記モード選択キーを自動モードに設定したときには上記コードスイッチを押下する度に選択されたリズムパターンでコード音が出力され、上記モード選択キーを手動モードに設定したときにはコードスイッチで指定されたコードが演奏キーの操作に対応してコード音として玩具本体に内装されたスピーカから出力されるようにして自動演奏と手動演奏とを選択的に行なうことができるようにし、実際のギターを弾けない人であってもギターの演奏を楽しむことができるようにした。
【実施例１】
【００１４】
図１は、本発明に係るギター玩具の一例を示し、このギター玩具は玩具本体１がネック部２と胴部３とからなるギターを模して形成され、ネック部２の上面はフレットで仕切られたフィンガーボードを模して形成された１２個のフレット板４（４ａ〜４ｌ）が配置され、各フレット板４には２種類のギターコード（Ａ、Ａｍ）、（Ａ＃、Ａ＃ｍ）、（Ｂ、Ｂｍ）・・（Ｇ＃、Ｇ＃ｍ）が表示され、全部で２４種類のギターコードが表示されている（図２参照）。
【００１５】
全てのフレット板４は、図３に示すように、中央に形成された貫通孔５に上ネック部２ａの支持部６に支持された支軸７で下方に揺動可能に支持されるシーソー体で構成されている。
【００１６】
図４に示すように、各フレット板４の下方に配置された基板８にはフレット板４の裏面に突出形成された押圧突部９に対応する位置にコードスイッチ１２（１２ａ〜１２ｘ）が配置されているので、フレット板４の押下時にはフレット板４の押圧突部９に対応したコードスイッチ１２がＯＮするようになっている。
【００１７】
このコードスイッチ１２のＯＮ状態は後述する制御部４０で認識され、コードスイッチ１２に対応したコードデータが制御部４０に内蔵されたメモリから読み出され、読み出されたコードデータは音声信号に変換されてアンプ４１で増幅された後、スピーカ４２からギターコード音として出力されるようになっている。
【００１８】
そして、ネック部２の左側面にはネック部２を握った手の親指で押し操作可能に配置された７ｔｈキー１３が配置されている。この７ｔｈキー１３は、長尺で両端に突出した突部１３ａが下ネック部２ｂに形成された支持部１４に回動可能に支持され、押されたときには回動して７ｔｈスイッチ３８をＯＮするようになっている。演奏時に、この７ｔｈキー１３をフレット板４の押下と一緒に押し操作することにより、７ｔｈが合わさったギターコード（例えば、Ｃ＋７ｔｈキー＝Ｃ７）が演奏できるようになっている。
【００１９】
胴部３には、マニアルでコード音を出力させる演奏キー１５、自動モード・手動モードを選択するモード選択キー１７、リズムパターンの選択を可能にする指示キー１９の他に、音量を調節するダイヤル１８、キー(音程)の上下を設定するキー設定ボタン２０、自動演奏時に出力されるコード音のテンポを設定するテンポ設定ボタン２１、演奏の最後を効果的に終了させる終了ボタン２２からなる条件設定手段及びスピーカ４２が配置され、背面には電源スイッチ４３が配置されている。
【００２０】
演奏キー１５は、図５に示すように、中央が盛り上がった山形状の操作板で構成されて一端が胴部３に回動可能に軸支され、弦を弾くように操作板１５を弾いたときには、操作板１５の裏側面に取り付けられたセンサ（ピエゾセンサ）１６が操作板１５の振動を検出するようになっている。
【００２１】
この操作板（演奏キー）１５は手動モードの時に機能するものであって、普通のギターの弦を弾くように上から下に、又は、下から上に弾くとセンサ１６が操作板１５の弾き操作を感知するので制御部４０はコード音を出力するようになっている。
【００２２】
図６はフレット板４を外したネック部２と、胴部３の内部構造を説明する正面図を示し、基板８には２４個のコードスイッチ１２ａ〜１２ｘが配置され、基板の先端には電源ＯＮ時に点灯するＬＥＤ３０が配置され、胴部３には、指示キー１９の押下でＯＮするラバースイッチ３１、モード選択キー１７に連動してスライドするスライドスイッチ３２、キー設定ボタン２０に連動してＯＮするラバースイッチ３３、テンポ設定ボタン２１に連動してＯＮするラバースイッチ３４、ダイヤル１８に連動するボリューム３５、ヘッドフォンをつなぐジャック３６、ＡＣアダプターをつなぐジャック３７及び電源スイッチ４３が配置されている。
【００２３】
なお、電源スイッチ４３は３接点２回路のスライドスイッチで構成され、何れの方向にスライドさせても電源がＯＮになり、一方にスライドさせた時にはプレイモードが選択でき、他方にスライドさせた時にはデモモードが設定されるようになっている。
【００２４】
図７は、ギター玩具の電気的構成を示すブロック図で、符合４０はプログラマブル音声合成ＩＣで構成された制御部で、この制御部４０は内蔵したメモリにギター玩具全体を制御する制御プログラム、デモデータ、コードデータ他各種データが記憶され、各種ボタンの操作に対応して記憶されているデモデータが読み出されてメロディ信号に変換されて出力されたり、コードデータが読み出されてコード信号に変換されて出力されたりするようになっているものである。
【００２５】
このメロディ信号、コード信号は、アンプ４１で増幅されスピーカ４２からデモ曲、コード音として出力されるようになっている。
【００２６】
なお、スピーカ４２から出力されるデモ曲、コード音の音量はボリューム３５で調整することができ、ジャック３６に図示しないヘッドフォンを接続すれば一人でギター演奏を楽しむことができる。
【００２７】
符合１２はコードスイッチを示し、このコードスイッチ１２はマトリックス状に接続された２４個のラバースイッチ１２ａ〜１２ｘで構成され、横軸は直接制御部４０に、縦軸はデコーダ４４を経由して同様に制御部４０に入力されるようになっており、横軸の入力と縦軸の入力とから制御部４０はどのコードスイッチ１２がＯＮしたのかを認識できるようになっている。
【００２８】
制御部４０はコードスイッチ１２を認識すると、認識したコードスイッチ１２に対応したコードデータをメモリから読み出し、読み出したコードデータはコード信号に変換されスピーカ４２からコード音として出力するようになっている。
【００２９】
なお、電源スイッチ４３でデモモードが設定されている場合は、コードスイッチ１２はデモ曲を選択することができるようになっており、予めメモリに記憶されている２４曲のデモ曲の中から自由にデモ曲を選択することができる。
【００３０】
そして、上記コードスイッチ１２と同じマトリックスにテンポを変化させるラバースイッチ３４と、キーの上下を選択できるラバースイッチ３３とが接続され、コードスイッチ１２と同様に制御部４０でその作動状態が認識されるようになっている。
【００３１】
テンポ設定ボタン２１はスタート時［１０４］をデフォルトとして＋５〜−５の１０段階に変化させることができるようになっており、キー設定ボタン２０はスタート時、各ギターコードの音が正しく聞こえる位置をデフォルト値として＋５〜−５の１０段階に変化させることができるようになっている。
【００３２】
符合３８は７ｔｈキー１３に対応したリーフスイッチで、上述したように７ｔｈキー１３をフレット板４の押下と一緒に押し操作することにより、７ｔｈが合わさったギターコード（例えば、Ｃ＋７ｔｈキー＝Ｃ７）が演奏できるようになっている。
【００３３】
符合３９は、終了ボタン２２の押下でＯＮするラバースイッチで、この終了ボタン２２は演奏の最後に余韻を持たせるようにコード音を出力させるボタンで、この終了ボタン２２が押されると、ＬＯＮＧＤＥＬＡＹの音源に切り換わり、最後に入力されていたギターコード、テンポ、キーの音でＦＩＮＩＳＨ音を一小節分演奏するようになっている。
【００３４】
符合１６は、弦を弾くように指で演奏キー（操作板）１５が弾かれたことを検出するセンサ（ピエゾセンサ）で、この操作板１５の振動がセンサ１６で検出されると制御部４０はコード音を出力するようになっている。
【００３５】
符合３１は、リズムパターンを選択する際に使用される指示キー１９の押下でＯＮするラバースイッチで、このラバースイッチ３１がＯＮしている状態で押されたコードスイッチ１２は、図８（ａ）に示すように、リズムパターンを指定するようになっており、各フレット板４に対応して配置されたコードスイッチ１２は、図８（ｂ）のリズムパターン一覧表図に示すように、２４種類のパターンに対応し、ユーザーは任意のリズムパターンを指定することができるようになっている。
【００３６】
次に、上記構成のギター玩具の使用態様について説明する。
【００３７】
メインスイッチ４３をＯＮすると終了音が１回鳴り、ＬＥＤ３０が点灯する。
【００３８】
次に、自動演奏をするのか、手動演奏を行なうのかをモード選択キー１７で選択すればよい。
【００３９】
続いて、テンポとキー（音程）を設定する。テンポは［１０４］がデフォルト値に設定されているので、テンポを変えたい場合は＋テンポキーと−テンポキーとで設定変更する。テンポの設定は−５〜＋５までの１０段階で設定することができる。テンポの設定がすんだらキー（音程）の設定を行なう。このキーは、各ギターコードの音が正しく聞こえる位置をデフォルト値として設定されているので、キーを変えたい場合は＋ＦＲＥＱキーと−ＦＲＥＱキーとで設定変更する。この設定は−５〜＋５までの１０段階で設定することができる。
【００４０】
自動モードを選択した場合は、引き続きリズムパターンを設定する。このリズムパターンは、図８（ｂ）に示すように、２４種類設定されているので、指示キー１９を押しながらフレット板４（図８（ａ）参照）を押えれば、そのフレット板４で指定したリズムパターンでコード音を出力することができる。
【００４１】
この段階で、自動演奏ができるので、楽譜に記されているコードを参照し、該当するコード名が記されたフレット板４を押える。このとき、７ｔｈコードの場合は７ｔｈキー１３を同時に押せばよい。
【００４２】
フレット板４を押えると、そのフレット板４に対応したコードスイッチ１２がＯＮするので、このＯＮ状態は制御部４０でどのコードが選択されたか認識され、制御部４０は認識したコードに対応するコードデータをメモリから読み出し、コード信号に変換して出力する。このとき予め設定したリズムパターンでコード信号が出力されるので、出力されたコード信号はアンプ４１で増幅されコード音となってスピーカ４２から出力される。
【００４３】
一方、手動モードを選択した場合は、フレット板４を押えただけではコード音が出力されないので、プレイヤーは楽譜に記されたコードを読んでフレット板４を押してコードを指定した後、操作板１５を弦を弾くように指で弾けばよい。操作板１５を弾くたびにコード音が出力されるので、自動演奏とは異なり、自分の好みのリズム構成で演奏を行なうことができる。
【００４４】
また、電源スイッチ４３で電源ＯＮ時にデモモードが選択されている場合は、コードスイッチ１２でデモ曲を選択することができるので、予めメモリに記憶されている２４曲のデモ曲の中からコードスイッチ１２を選択することによりデモ曲を自由に選択することができ、コードスイッチ１２に対応したデモデータがメモリから読み出されてメロディ信号に変換され制御部４０から出力され、アンプ４１で増幅されてデモ曲としてスピーカ４２から出力されるので、ギターの演奏を楽しむことができるし、コードの意味も判らなかったり弾きかたも判らなかったりする人でも、ギターを伴奏にして歌うことができる。
【実施例２】
【００４５】
図９はギター玩具の他の例に適用される演奏キー１５を示し、この演奏キー１５は、ダウンストロークとアップストロークとを検出することができるようにするために演奏キー１５を２つの操作板１５ａ、１５ｂで構成したものである。２つの操作板１５ａ、１５ｂは対向面がせり上がった山形状に形成され、一端が胴部３に回動可能に軸支され、弦を弾くように演奏キー１５を弾いたときには、操作板１５ａ、１５ｂの裏側面に取り付けられたセンサ（ピエゾセンサ）１６ａ、１６ｂが操作板１５ａ、１５ｂの振動を検出するようになっている。
【００４６】
図１０の回路図において、符合１６ａ、１６ｂはダウンストローク、アップストロークを検出するセンサで、弦を弾くように、指で操作板１５を弾いたとき、この操作板１５ａ、１５ｂの振動をセンサ１６ａ、１６ｂで検出し、制御部４０は２つのセンサ１６ａ、１６ｂの振動を感知する順番からダウンストロークなのかアップストロークなのかを判断し、普通のギターと同じように第６弦側から第１弦側に向かって弾き下ろすダウンストローク、第１弦側から第６弦側に向かって弾き上げるアップストロークが再現できるようにしたもので、手動モード時にＤＯＷＮセンサ１６ａの後にＵＰセンサ１６ｂが操作板１５の弾き操作を感知すると制御部４０はダウンストロークと判断してＤＯＷＮコードを出力し、ＵＰセンサ１６ｂの後にＤＯＷＮスセンサ１６ａが操作板１５の弾き操作を感知すると制御部４０はアップストロークと判断し、ＵＰコードを出力するようになっており、実際のギターを弾いているような雰囲気を味わうことができる。
【実施例３】
【００４７】
図１１（ａ）は、ギター玩具の他の例を示し、このギター玩具はネック部２が胴体部に折畳み可能に取り付けられているもので、演奏時にはネック部２を起こし、持ち運び時にはネック部２を倒すことにより、図１１（ｂ）に示すように、全体の長さが半分程度になり、コンパクトになるので持ち運び安いギター玩具を実現することができる。
【００４８】
しかも、通常の弦を張ったギターと異なり、ネック部２を起こせば弦を張リ直す必要も、調律をする必要もなくギター演奏に入ることができる。
【図面の簡単な説明】
【００４９】
【図１】本発明に係るギター玩具の一例を示す正面図（実施例１）
【図２】上記ギター玩具のフレット板の表示の説明図（実施例１）
【図３】（ａ）（ｂ）は上記フレット板を説明する平面側斜視図及び底面側斜視図（実施例１）
【図４】（ａ）（ｂ）はネック部のフレット板を説明する要部断面図（実施例１）
【図５】（ａ）（ｂ）は演奏キーの斜視図及び胴部の要部断面図（実施例１）
【図６】フレット板を外したネック部と、胴部の内部構造を説明する正面図（実施例１）
【図７】本発明に係るギター玩具の電気的構成を説明するブロック図（実施例１）
【図８】（ａ）（ｂ）はリズムパターンを選択するときのフレット板の機能と、リズムパターンを説明する一覧表図（実施例１）
【図９】（ａ）（ｂ）は他の例のギター玩具における演奏キーの斜視図及び胴部の要部断面図を示す斜視図（実施例２）
【図１０】上記他の例におけるギター玩具の電気的構成を説明するブロック図（実施例２）
【図１１】（ａ）（ｂ）は本発明に係るギター玩具のさらに他の例を示す斜視図（実施例３）
【符号の説明】
【００５０】
１  玩具本体
２  ネック部
３  胴部
４  フレット板
１５  演奏キー（操作板）
１７  モード選択キー
１９  指示キー
２０  キー設定ボタン
２１  テンポ設定ボタン
２２  終了ボタン
４２  スピーカ
【図１】
2005078046.tif 000003
【図２】
2005078046.tif 000004
【図３】
2005078046.tif 000005
【図４】
2005078046.tif 000006
【図５】
2005078046.tif 000007
【図６】
2005078046.tif 000008
【図７】
2005078046.tif 000009
【図８】
2005078046.tif 000010
【図９】
2005078046.tif 000011
【図１０】
2005078046.tif 000012
【図１１】
2005078046.tif 000013